(57)【要約】【課題】溶接することなく接続し得、廉価に製造することが可能であり、接続作業を容易に行うことができるパイプ等を提供する。【解決手段】横パイプ３０の嵌合部３１を縦パイプ２０に、第２貫通孔３２と第１貫通孔２１，２１とが一致するように位置合わせして外嵌させ、横パイプ３０の外側からリベット５０を第２貫通孔３２に挿入して、リベット５０の脚部を第２貫通孔３２及び第１貫通孔２１，２１を貫通させた後、リベット５０の第１貫通孔２１から突出した先端部をかしめることによって、横パイプ３０と縦パイプ２０とを固着接続させてある。【選択図】図２
2005172214.tif 000002
【特許請求の範囲】
【請求項１】
他のパイプに接続させるパイプにおいて、
その一端又は両端に、前記他のパイプに外嵌させる嵌合部が設けてあることを特徴とするパイプ。
【請求項２】
前記パイプは丸パイプであり、前記嵌合部は、他の丸パイプの外周面に倣う円弧状にしてある請求項１記載のパイプ。
【請求項３】
第１パイプに第２パイプを接続させて構造物を構築するパイプ材において、
前記第２パイプの一端又は両端に、前記第１パイプに外嵌させる嵌合部が設けてあることを特徴とするパイプ材。
【請求項４】
前記両パイプは丸パイプであり、前記嵌合部は、第１パイプの外周面に倣う円弧状にしてある請求項３記載のパイプ材。
【請求項５】
前記嵌合部の適宜位置に第１貫通孔が開設してある請求項３又は４記載のパイプ材。
【請求項６】
前記第１パイプの第２パイプを接続させる接続部分に、第１パイプを貫通する第２貫通孔が、前記第１貫通孔に連通可能に設けてある請求項３から５のいずれかに記載のパイプ材。
【請求項７】
第１パイプに第２パイプを接続させたパイプ扉において、
請求項３から６のいずれかに記載のパイプ材を用いてなり、前記第２パイプの嵌合部及び第１パイプの前記嵌合部を外嵌させた部分を貫通させた固定具で固定することによって、第１パイプと第２パイプとが接続してあることを特徴とするパイプ扉。
【請求項８】
複数の骨材を接続させた骨組みに外装が施してあり、第１パイプに第２パイプを接続させたパイプ扉が設けてあるハウスにおいて、
請求項７記載のパイプ扉を備えることを特徴とするハウス。
【発明の詳細な説明】
【技術分野】
【０００１】
本発明は、他のパイプに接続させるパイプ、それら両パイプを備えるパイプ材、このパイプ材を用いて構築したパイプ扉、並びにこのパイプ扉を備え、植物の栽培等に使用するハウスに関する。
【背景技術】
【０００２】
複数の骨材で構築した骨組みの周囲をビニールシートで覆った、かまぼこ形状のビニールハウスがある。かかるビニールハウスでは、その一端面に出入口が設けてあり、この出入口に配置された縦パイプに、複数のパイプを「目」字状に接続してなるパイプ扉をビニールシートで覆った扉が開閉自在に取付けてある。
【０００３】
このようなパイプ扉は、従来より次のように製造されていた。すなわち、複数の短寸円形の横パイプの両端をそれぞれ縮径した後、２本の長寸円形の縦パイプを距離を隔てて互いに平行に配置し、その間に各横パイプが目字状になるように、横パイプの端部を縦パイプの周面に直角に当接させてそれぞれ配置する。そして、各横パイプの端部と、それが当接した縦パイプの周面との間を溶接することによって、縦パイプと横パイプとを接続していた。
【０００４】
しかし、縦パイプと横パイプとを溶接によって接続する場合、溶接部分にさびが発生し易いという問題があった。また、縦パイプと横パイプとの溶接が不十分の場合、接続強度が低下する一方、パイプの厚さが１．２ｍｍ程度と薄いため、溶接が過大の場合、パイプに孔が生じるという問題もあった。従って、十分な溶接を行うためには熟練が必要であるが、熟練工を育成するには多大な経費及び長時間を要する。
【０００５】
そのため、後記する特許文献１には次のようなパイプが開示されている。
【０００６】
図６は、特許文献１に開示されたパイプの接続部分を示す側断面図であり、図中、７０及び８０は、開口が円形の縦パイプ及び横パイプである。縦パイプ７０の内周面には、縦パイプ７０の直径より小さい直径の横パイプ８０の端部を当接させるために、縦パイプ７０の軸長方向へ延設してあり、平断面視が倒立Ｌ字状の２条の当接壁７１（７１）が、縦パイプ７０の周方向へ所定の距離を隔てて、軸長方向へ延設してある。一方、横パイプ８０の内周面には、正面視がＵ字状の２条のビスポケット８１，８１が、周方向へ１８０度位置を異ならせて、軸長方向へ延設してあり、両ビスポケット８１，８１には、その端部からネジを螺入し得るようになっている。
【０００７】
このような横パイプ８０と縦パイプ７０とを接続するには、縦パイプ７０の周面の当接壁７１（７１）に対向する部分に、横パイプ８０を取付けるための取付孔７３を開設しておき、ビスポケット８１，８１を鉛直方向へ位置させた状態の横パイプ８０の端部を、取付孔７３内に挿入させて当接壁７１（７１）に当接させる。一方、縦パイプ７０の周面であって当接壁７１（７１）に当接される横パイプ８０のビスポケット８１，８１に対向する位置に、貫通孔７２，７２を開設しておく。そして、両貫通孔７２，７２を貫通させた固定ネジ９０，９０を横パイプ８０のビスポケット８１，８１に螺合させることによって、横パイプ８０と縦パイプ７０とを接続する。
【０００８】
このように、溶接に代えて、取付孔７３に挿入させた横パイプ８０と縦パイプ７０とを固定ネジ９０，９０によって連結固定するため、前述した問題は解消される。
【特許文献１】特開２００１−８２４２２号公報（図５）
【発明の開示】
【発明が解決しようとする課題】
【０００９】
しかしながら、このような従来の縦パイプ７０及び横パイプ８０にあっては、縦パイプ７０の内周面に当接壁７１（７１）を、また横パイプ８０の内周面にビスポケット８１，８１をそれぞれ突設しておかなければならないため、製造が複雑であり、縦パイプ７０及び横パイプ８０の製造コストが高い。一方、縦パイプ７０と横パイプ８０とを接続するには、縦パイプ７０の周面に取付孔７３及び貫通孔７２，７２を開設しなければならず、手間を要する。更に、貫通孔７２，７２は、前記取付孔７３及び横パイプ８０のビスポケット８１，８１に位置合わせして開設しなければならず、開設作業に困難を要するという問題があった。
【００１０】
本発明は、斯かる事情に鑑みてなされたものであって、溶接することなく接続し得、廉価に製造することが可能であり、接続作業を容易に行うことができるパイプ、このパイプを備えるパイプ材、該パイプ材を用いて構築したパイプ扉、及びこのパイプ扉を備えたハウスを提供する。
【課題を解決するための手段】
【００１１】
請求項１記載の本発明は、他のパイプに接続させるパイプにおいて、その一端又は両端に、前記他のパイプに外嵌させる嵌合部が設けてあることを特徴とする。
【００１２】
請求項２記載の本発明は、前記パイプは丸パイプであり、前記嵌合部は、他の丸パイプの外周面に倣う円弧状にしてあることを特徴とする。
【００１３】
請求項３記載の本発明は、第１パイプに第２パイプを接続させて構造物を構築するパイプ材において、前記第２パイプの一端又は両端に、前記第１パイプに外嵌させる嵌合部が設けてあることを特徴とする。
【００１４】
請求項４記載の本発明は、前記両パイプは丸パイプであり、前記嵌合部は、第１パイプの外周面に倣う円弧状にしてあることを特徴とする。
【００１５】
請求項５記載の本発明は、前記嵌合部の適宜位置に第１貫通孔が開設してあることを特徴とする。
【００１６】
請求項６記載の本発明は、前記第１パイプの第２パイプを接続させる接続部分に、第１パイプを貫通する第２貫通孔が、前記第１貫通孔に連通可能に設けてあることを特徴とする。
【００１７】
請求項７記載の本発明は、第１パイプに第２パイプを接続させたパイプ扉において、請求項３から６のいずれかに記載のパイプ材を用いてなり、前記第２パイプの嵌合部及び第１パイプの前記嵌合部を外嵌させた部分を貫通させた固定具で固定することによって、第１パイプと第２パイプとが接続してあることを特徴とする。
【００１８】
請求項８記載の本発明は、複数の骨材を接続させた骨組みに外装が施してあり、第１パイプに第２パイプを接続させたパイプ扉が設けてあるハウスにおいて、請求項７記載のパイプ扉を備えることを特徴とする。
【発明の効果】
【００１９】
請求項１記載の本発明では、パイプの一端又は両端に、他のパイプに外嵌させる嵌合部が設けてあるため、この嵌合部を他のパイプに外嵌させ、その部分をリベット、ビス又はボルト及びナット等の固定具を用いて固定することができ、溶接することなく両パイプを容易に接続することができる。
【００２０】
請求項２記載の本発明では、嵌合部は、他のパイプの外周面に倣う円弧状にしてあるため、プレス加工によって形成することができ、製造コストが廉価である。
【００２１】
請求項３記載の本発明では、第１パイプに第２パイプを接続させて構造物を構築する場合、第２パイプの一端又は両端に、第１パイプに外嵌させる嵌合部が設けてあるため、この嵌合部を他のパイプに外嵌させ、その部分をリベット、ビス又はボルト及びナット等の固定具を用いて固定することができ、溶接することなく両パイプを容易に接続することができる。
【００２２】
請求項４記載の本発明では、第２パイプの嵌合部は、第１パイプの外周面に倣う円弧状にしてあるため、プレス加工によって形成することができ、製造コストが廉価である。
【００２３】
請求項５記載の本発明では、嵌合部の適宜位置に第１貫通孔が開設してあるため、第１パイプと第２パイプとの接続作業中、第２パイプに穿孔作業を施すことなく、前記固定具を第１貫通孔に挿通させることによって、前記固定具を嵌合部に容易に貫通させることができる。
【００２４】
請求項６記載の本発明では、第１パイプの第２パイプを接続させる接続部分に、第１パイプを貫通する第２貫通孔が、第２パイプの嵌合部に開設した第１貫通孔に連通可能に設けてあるため、第１パイプと第２パイプとの接続作業中、第１パイプに穿孔作業を施すことなく、前記固定具を第２貫通孔に挿通させることによって、前記固定具を第１パイプに容易に貫通させることができる。
【００２５】
請求項７記載の本発明では、第１パイプに第２パイプを接続させたパイプ扉にあって、前述した請求項３から６のいずれかに記載のパイプ材を用いてなり、第２パイプの嵌合部及び第１パイプの前記嵌合部を外嵌させた部分を貫通させた固定具で固定することによって、第１パイプと第２パイプとが接続してあるため、両パイプは、溶接することなく接続し得、廉価に製造することが可能であり、接続作業を容易に行うことができる。
【００２６】
請求項８記載の本発明では、複数の骨材を接続させた骨組みに外装が施してあり、第１パイプに第２パイプを接続させたパイプ扉が設けてあるハウスにあって、前述した請求項７記載のパイプ扉を備えるため、前同様、第１パイプ及び第２パイプは、溶接することなく接続し得、廉価に製造することが可能であり、接続作業を容易に行うことができる。
【発明を実施するための最良の形態】
【００２７】
本発明に係るパイプは、他のパイプに接続させるパイプの一端又は両端に、他のパイプに外嵌させる嵌合部が設けてある。
【００２８】
また、両パイプは丸パイプであり、前記嵌合部は、他の丸パイプの外周面に倣う円弧状にしてある。
【００２９】
一方、本発明に係るパイプ材は、第１パイプに第２パイプを接続させて構造物を構築する場合、第２パイプの一端又は両端に、第１パイプに外嵌させる嵌合部が設けてある。
【００３０】
この第１パイプ及び第２パイプは共に丸パイプであり、嵌合部は、第１パイプの外周面に倣う円弧状にしてある。
【００３１】
更に、この嵌合部の適宜位置に第１貫通孔が開設してある。
【００３２】
また、第１パイプの第２パイプを接続させる接続部分に、第１パイプを貫通する第２貫通孔が、前述した第１貫通孔に連通可能に設けてある。
【００３３】
また、本発明に係るパイプ扉は、前述したパイプ材を用い、該パイプ材の第２パイプの嵌合部及び第１パイプの前記嵌合部を外嵌させた部分を貫通させたリベット、ビス、又はボルト及びナット等の固定具で固定することによって、第１パイプと第２パイプとが接続してある。
【００３４】
一方、本発明に係るハウスは、複数の骨材を接続させた骨組みに外装が施してあり、前述したパイプ扉が設けてある。
【００３５】
以下、本発明例を図面に基づいて詳述する。
【実施例１】
【００３６】
図１は、本発明の一例であるビニールハウスの外観斜視図である。図１に示した如く、かまぼこ形状の本体１は、倒立Ｕ字状の複数の骨組パイプ２，２，…を所定の間隔を隔ててタンデムに配置し、各骨組パイプ２，２，…を直線状の連結パイプ３，３，…で連結してなり、骨材たる骨組パイプ２，２，…及び連結パイプ３，３，…は図示しないビニールシートで覆ってある。本体１の一端面には出入口が設けてあり、この出入口の両脇に配置された縦パイプによって、複数のパイプを接続してなるパイプ扉１１，１１を図示しないビニールシートで覆った扉１０，１０が開閉自在に支持されている。なお、本体１の他端、及び本体１の一端面であって出入口以外の部分もビニールシートで覆ってある。
【００３７】
図２は、図１で示したパイプ扉１１の正面図であり、２０は縦パイプ、３０は横パイプである。２本の縦パイプ２０，２０が適宜距離を隔てて平行に配置してあり、両縦パイプ２０，２０間に複数の横パイプ３０，３０，…が、例えば目字状になるように架設してある。この横パイプ３０と縦パイプ２０とは、後述する如く横パイプ３０の両端に設けた嵌合部３１，３１を介して次のように接続してある。
【００３８】
図３は、図２に示したパイプ扉１１における横パイプ３０と縦パイプ２０との接続部分を示す拡大正面図であり、図４は、図２に示したパイプ扉１１における横パイプ３０と縦パイプ２０との接続部分の一部破断平面図である。図３及び図４に示した如く、縦パイプ２０は丸パイプを用いてなり、この縦パイプ２０の長手方向の所定位置に、縦パイプ２０を貫通する第１貫通孔２１，２１が開設してある。
【００３９】
一方、横パイプ３０は、丸パイプの両端部分に、丸パイプの周面の一側をそこと対峙する他側へ向けてプレスして扁平状になすと共に、縦パイプ２０の外周面に倣って半円フック状に彎曲させることによって嵌合部３１（３１）を設けてなり、この嵌合部３１（３１）の前記第１貫通孔２１，２１に対向する位置には、当該嵌合部３１を貫通する第２貫通孔３２が開設してある。
【００４０】
そして、横パイプ３０の嵌合部３１を縦パイプ２０に、第２貫通孔３２と第１貫通孔２１，２１とが一致するように位置合わせして外嵌させ、横パイプ３０の外側からリベット５０を第２貫通孔３２に挿入して、リベット５０の脚部を第２貫通孔３２及び第１貫通孔２１，２１を貫通させた後、リベット５０の第１貫通孔２１から突出した先端部をかしめることによって、横パイプ３０と縦パイプ２０とを固着接続させてある。
【００４１】
このように、横パイプ３０の端部に半円フック状の嵌合部３１を設け、該嵌合部３１を縦パイプ３０に外嵌させた状態で、嵌合部３１及び縦パイプ２０を貫通させたリベット５０によって横パイプ３０と縦パイプ２０とを接続させるため、横パイプ３０と縦パイプ２０との接続強度が高い。また、横パイプ３０と縦パイプ２０との接続作業を容易に行うことができる。一方、横パイプ３０の嵌合部３１の構造は比較的簡単であり、また、プレス加工にて形成することができるため、製造コストが廉価である。更に、リベット５０によって横パイプ３０と縦パイプ２０とを接続させるため、溶接のような熟練を要することなく、容易かつ確実に接続作業を行うことができる。
【００４２】
なお、本実施例ではリベット５０を用いて横パイプ３０と縦パイプ２０とを接続してあるが、本発明はこれに限らず、ビス又はボルト及びナット等を用いて両者を接続してもよい。また、横パイプ３０に嵌合部３１を設けて縦パイプ２０に接続させるようにしてあるが、本発明はこれに限らず、縦パイプ２０の端部に嵌合部を設けて横パイプに接続させるようにしてもよく、横パイプ及び縦パイプの双方に嵌合部を設けて互いに接続させ得るようにしてもよい。また、丸パイプに限らず、角パイプを用いてもよく、パイプの一端にのみ嵌合部を設けてもよい。
【００４３】
更に、かかる嵌合部及び縦パイプには貫通孔を予め開設しておかなくてもよい。この場合、接続作業中に、ドリル等により嵌合部及び縦パイプに貫通孔を開設すればよい。また、嵌合部３１は、円弧状に限らず、縦パイプの周面形状に対応した形状であればよい。
【００４４】
一方、本実施例では、ビニールハウスに適用した場合について説明したが、本発明はこれに限らず、ガラスハウス等の他のハウスにも適用できる。更に、本実施例では、ビニールハウスの出入口に配設したパイプ扉１１に適用した場合を示したが、本発明はこれに限らず、家屋の門に配する扉等、種々の扉に適用することができる。
【００４５】
ところで、本実施例では、複数の横パイプ３０，３０，…と２本の縦パイプ２０，２０とをリベット５０，５０，…を用いて予め連結固定してあるパイプ扉１１について説明したが、本発明はこれに限らず、嵌合部３１，３１，…に第２貫通孔３２，３２，…が開設してある複数の横パイプ３０，３０，…と、長手方向の複数の位置に対をなす第１貫通孔２１，２１、２１，２１、…が開設してある２本の縦パイプ２０，２０と、複数のリベット５０，５０，…又はボルト及びナットとを備えるパイプ扉キットを予め用意しておき、このパイプ扉キット中の横パイプ３０，３０，…、縦パイプ２０，２０、並びにリベット５０，５０，…又はボルト及びナットを用いて前述した如きパイプ扉１１（図２参照）を、適宜の場所（例えばビニールハウスの設置場所）で組み立てるようにしてもよい。
【００４６】
この場合、予め組み立てた状態のパイプ扉１１を搬送する場合に比べて、搬送作業が容易になる。一方、かかるパイプ扉キットによってパイプ扉１１を組み立てるには、互いに平行に配置した縦パイプ２０，２０間に各横パイプ３０，３０，…を、その両端の嵌合部３１，３１，…を対応する縦パイプ２０，２０に、各嵌合部３１，３１，…の第２貫通孔３２，３２，…と縦パイプ２０，２０の第１貫通孔２１，２１…とが一致するように外嵌させ、横パイプ３０の外側から例えばリベット５０を第２貫通孔３２に挿入して、リベット５０の脚部を第２貫通孔３２及び第１貫通孔２１，２１を貫通させた後、リベット５０の第１貫通孔２１から突出した先端部をかしめることによって、横パイプ３０と縦パイプ２０とを固着接続させるだけでよいため、熟練を要さず、組み立て作業を短時間で容易に行うことができる。
【実施例２】
【００４７】
図５は、実施例２に係るパイプ扉の横パイプと縦パイプとの接続部分の一部破断平面図であり、接続強度をより向上させた場合を示している。なお、図中、図４に示した部分に対応する部分には同じ番号を付して、その説明を省略する。
【００４８】
図５に示した如く、横パイプ３０の嵌合部３１ａは縦パイプ２０の周囲を、縦パイプ２０の中心軸回りに２５０度程度囲む形状にしてあり、縦パイプ２０はこの嵌合部３１ａ内を挿通させてある。これによって、当該嵌合部３１ａによる縦パイプ２０の嵌合保持力は、図４に示した嵌合部３１による縦パイプ２０の嵌合保持力より大きいため、横パイプ３０と縦パイプ２０との接続強度が更に高い。
【００４９】
なお、本実施例では、横パイプ３０の嵌合部３１ａは縦パイプ２０の周囲を、縦パイプ２０の中心軸回りに２５０度程度囲む形状にしてあるが、本発明はこれに限らず、それ以上、即ち縦パイプ２０の中心軸回りに３６０度程度まで囲む形状にしてもよい。この場合、嵌合部３１の第２貫通孔３２とは反対側の部分であって、第１貫通孔２１に対向する位置に、嵌合部３１を貫通する第３貫通孔を開設しておき、この第３貫通孔から突出させたリベット５０の先端部分をかしめることによって、横パイプ３０と縦パイプ２０とを接続する。これによって、両者の接続強度を更に向上させることができる。
【００５０】
また、本実施例ではリベット５０を用いた場合について説明したが、本発明はこれに限らず、ボルト及びナットを用いてもよい。
【図面の簡単な説明】
【００５１】
【図１】本発明の一例であるビニールハウスの外観斜視図である。
【図２】図１で示したパイプ扉の正面図である。
【図３】図２に示したパイプ扉における縦パイプと横パイプとの接続部分を示す拡大断面図である。
【図４】図２に示したパイプ扉における縦パイプと横パイプとの接続部分の一部破断平面図である。
【図５】実施例２に係るパイプ扉の横パイプと縦パイプとの接続部分の一部破断平面図である。
【図６】特許文献１に開示されたパイプの接続部分を示す側断面図である。
【符号の説明】
【００５２】
１    本体
１０    扉
１１    パイプ扉
２０    縦パイプ
２１    第１貫通孔
３０    横パイプ
３１    嵌合部
３１ａ  嵌合部
３２    第２貫通孔
５０    リベット
【図１】
2005172214.tif 000003
【図２】
2005172214.tif 000004
【図３】
2005172214.tif 000005
【図４】
2005172214.tif 000006
【図５】
2005172214.tif 000007
【図６】
2005172214.tif 000008